(57)【要約】【課題】本発明は、ボイラへの給水が不足することを抑制するボイラシステムを提供することを目的とする。【解決手段】ボイラシステム１は、ボイラ１０と、ドレンＷ１を回収するドレンタンク２０と、ドレンタンク２０とボイラ１０とを接続するドレン供給ラインＬ１と、ボイラ１０に供給されるドレンＷ１の流量を検出するドレン流量検出部３１と、ドレンＷ１の流量を調整する第１の給水バルブ５１と、ボイラ１０へ補給水を供給する補給水供給ラインＬ２と、補給水供給ラインＬ２を開くか又は閉じる第２の給水バルブ５２と、ドレン流量検出部３１により検出されたドレンＷ１の流量に基づいて第１の給水バルブ５１の開度を制御し、ドレン流量検出部３１により検出されたドレンＷ１の流量が低下したときに又は第１の給水バルブ５１の異常を検知したときに、第１の給水バルブ５１を閉じて第２の給水バルブ５２を開く制御を行う制御部７０と、を備える。【選択図】図１
2015098989.tif 000002
【特許請求の範囲】
【請求項１】
蒸気を生成し、生成された蒸気を負荷機器に供給するボイラと、
前記負荷機器が蒸気を使用することによって凝縮して生じたドレンを回収するドレンタンクと、
前記ドレンタンクと前記ボイラとを接続し、前記ドレンタンクに収容されたドレンを前記ボイラに供給するドレン供給ラインと、を備えるボイラシステムであって、
前記ドレン供給ラインに配置され、前記ボイラに供給されるドレンの流量を検出するドレン流量検出部と、
前記ドレン供給ラインに配置され、前記ボイラに供給されるドレンの流量を調整する第１の給水バルブと、
前記ボイラへ補給水を供給する補給水供給ラインと、
前記補給水供給ラインに配置され、前記補給水供給ラインを開くか又は閉じる第２の給水バルブと、
前記ドレン流量検出部により検出されたドレンの流量に基づいて前記第１の給水バルブの開度を制御し、また、前記ドレン流量検出部により検出されたドレンの流量が低下したときに又は前記第１の給水バルブの異常を検知したときに、前記第１の給水バルブを閉じて前記第２の給水バルブを開く制御を行う制御部と、を備えるボイラシステム。
【請求項２】
前記制御部は、前記第１の給水バルブの異常を検知したときに、前記第１の給水バルブを複数回開閉する制御を行う、請求項１に記載のボイラシステム。
【請求項３】
前記制御部は、前記第１の給水バルブの異常を検知したときに、前記第１の給水バルブを複数回開閉しても前記異常の検知が解除されない場合に、前記第１の給水バルブを閉じて前記第２の給水バルブを開く制御を行う、請求項２に記載のボイラシステム。
【発明の詳細な説明】
【技術分野】
【０００１】
本発明は、負荷機器から排出されるドレンを回収してボイラに供給するボイラシステムに関する。
【背景技術】
【０００２】
従来、ボイラによって生成された蒸気を負荷機器に供給し、負荷機器において熱源として使用された蒸気が凝縮して発生するドレンを、ドレンタンクに回収して、再度ボイラに給水するドレン回収システムを備えたボイラシステムが提案されている（例えば、特許文献１参照）。
【先行技術文献】
【特許文献】
【０００３】
【特許文献１】特開２００６−１０５４４２号公報
【発明の概要】
【発明が解決しようとする課題】
【０００４】
ところで、ドレン回収システムにおいては、ドレン供給ラインに配置されるバルブの弁体における異物の噛み込みや、バルブの開閉動作に係る電気信号のエラーにより、バルブの開閉動作に異常が生じる場合がある。この場合、ドレン供給ラインを介してボイラに供給されるドレンの給水が不足する。これを防ぐために、ドレンの給水を行うボイラシステムは、補給水をボイラに供給する補給水供給ラインを備えている。ボイラシステムは、ドレンタンク内の水位が設定水位を下回ったことを検知すると、ドレン回収システムのドレン供給ラインに配置されるバルブを閉じる。そして、ボイラシステムは、補給水供給ラインに配置されるバルブを開き、補給水を補給水供給ラインに流通させてボイラに供給する。しかし、ドレン回収システムのドレン供給ラインに配置されるバルブが閉じられてからボイラへの補給水の供給が開始されるまでの間、ボイラへのドレン及び補給水の供給は行われない。このとき、ボイラは、低水位状態となり、安全制御が働いて運転を停止することがある。その場合、ボイラから負荷機器への蒸気の供給が停止するという問題が発生する。
【０００５】
本発明は、ボイラへの給水が不足することを抑制するボイラシステムを提供することを目的とする。
【課題を解決するための手段】
【０００６】
本発明は、蒸気を生成し、生成された蒸気を負荷機器に供給するボイラと、前記負荷機器が蒸気を使用することによって凝縮して生じたドレンを回収するドレンタンクと、前記ドレンタンクと前記ボイラとを接続し、前記ドレンタンクに収容されたドレンを前記ボイラに供給するドレン供給ラインと、を備えるボイラシステムであって、前記ドレン供給ラインに配置され、前記ボイラに供給されるドレンの流量を検出するドレン流量検出部と、前記ドレン供給ラインに配置され、前記ボイラに供給されるドレンの流量を調整する第１の給水バルブと、前記ボイラへ補給水を供給する補給水供給ラインと、前記補給水供給ラインに配置され、前記補給水供給ラインを開くか又は閉じる第２の給水バルブと、前記ドレン流量検出部により検出されたドレンの流量に基づいて前記第１の給水バルブの開度を制御し、また、前記ドレン流量検出部により検出されたドレンの流量が低下したときに又は前記第１の給水バルブの異常を検知したときに、前記第１の給水バルブを閉じて前記第２の給水バルブを開く制御を行う制御部と、を備えるボイラシステムに関する。
【０００７】
また、本発明のボイラシステムにおいて、前記制御部は、前記第１の給水バルブの異常を検知したときに、前記第１の給水バルブを複数回開閉する制御を行うことが好ましい。
【０００８】
また、本発明のボイラシステムにおいて、前記制御部は、前記第１の給水バルブの異常を検知したときに、前記第１の給水バルブを複数回開閉しても前記異常の検知が解除されない場合に、前記第１の給水バルブを閉じて前記第２の給水バルブを開く制御を行うことが好ましい。
【発明の効果】
【０００９】
本発明のボイラシステムによれば、ボイラへの給水が不足することを抑制するボイラシステムを提供することができる。
【図面の簡単な説明】
【００１０】
【図１】本発明の実施形態に係るボイラシステムの構成を示す図である。
【図２】ボイラシステムの第１実施形態に示す動作を説明するフローチャートである。
【図３】ボイラシステムの第２実施形態に示す動作を説明するフローチャートである。
【発明を実施するための形態】
【００１１】
以下、本発明のボイラシステムの好ましい実施形態について、図面を参照しながら説明する。
まず、図１により、ボイラシステム１の構成について説明する。図１は、本発明の実施形態に係るボイラシステム１の構成を示す図である。以下の説明において「ライン」とは、流路、経路、管路等の総称である。
【００１２】
図１に示すように、本実施形態のボイラシステム１は、ボイラ１０と、蒸気ヘッダ１１と、負荷機器１２と、ドレンタンク２０と、ドレン流量検出部としてのドレン流量計３１と、補給水流量計３２と、給水ポンプ４０と、第１の逆止弁６１と、第２の逆止弁６２とを備える。
【００１３】
また、ボイラシステム１は、これらの機器を接続してドレンＷ１又は補給水Ｗ２を流通させる複数のラインと、これら複数のラインを開閉し又はラインを流通するドレンＷ１の流量を調整する複数のバルブと、これら複数のバルブの動作を制御する制御部７０と、を備える。具体的には、ボイラシステム１は、ラインとして、ドレン供給ラインＬ１と、補給水供給ラインＬ２と、蒸気供給ラインＬ３と、ドレンラインＬ４と、を備える。また、ボイラシステム１は、バルブとして、第１の給水バルブ５１と、第２の給水バルブ５２と、第３の給水バルブ５３と、を備える。
【００１４】
ボイラ１０は、缶体２、送風機３、ダクト４、排気筒５、セパレータ６及び水位検出器（図示せず）を備えている。ボイラ１０では、燃焼用空気Ｇ１は送風機３から供給され、燃料ガス（図示せず）は、ダクト４において燃焼用空気Ｇ１と混合され、缶体２内で燃焼して、缶体２内の上部ヘッダと下部ヘッダとを連結する多数の水管を加熱する。燃焼後の排気ガスＧ２は、排気筒５から外部へ排出される。蒸気は、主蒸気弁９を開くことでセパレータ６から取り出され、蒸気供給ラインＬ３を流通して蒸気ヘッダ１１に供給される。水位検出器（図示せず）は、ボイラ１０の水位を検出するものであり、制御部７０に電気的に接続されている。
【００１５】
蒸気供給ラインＬ３の一端部は、ボイラ１０のセパレータ６に接続され、蒸気供給ラインＬ３の他端部は、負荷機器１２に接続されている。また、蒸気供給ラインＬ３の途中には、主蒸気弁９及び蒸気ヘッダ１１が設けられている。蒸気供給ラインＬ３は、水管で発生した蒸気Ｗ３を、蒸気ヘッダ１１を介して負荷機器１２へ供給するラインである。
【００１６】
ドレンラインＬ４の一端部は、負荷機器１２に接続され、ドレンラインＬ４の他端部は、ドレンタンク２０に接続されている。ドレンラインＬ４は、負荷機器１２から排出されたドレンＷ１を、ドレンタンク２０に送出するラインである。ドレンラインＬ４には、蒸気は流出させずドレンＷ１のみを排出するスチームトラップ（図示せず）が設けられている。
【００１７】
蒸気ヘッダ１１は、ボイラ１０から蒸気供給ラインＬ３を介して供給された蒸気Ｗ３を一時的に溜めて、蒸気Ｗ３を使用する負荷機器１２へ供給する機器である。蒸気ヘッダ１１は、蒸気供給ラインＬ３において、ボイラ１０と負荷機器１２との間に設けられている。
【００１８】
負荷機器１２は、ボイラ１０から供給された蒸気Ｗ３により動作する装置（例えば、熱交換器）である。負荷機器１２において使用された蒸気Ｗ３は、熱を奪われて凝縮し、ドレンＷ１となって排出される。負荷機器１２から排出されたドレンＷ１は、ドレンラインＬ４を介してドレンタンク２０に回収される。
【００１９】
ドレンタンク２０は、負荷機器において熱交換に用いられた蒸気の一部が凝集して生じるドレンＷ１を回収して収容する。このドレンタンク２０は、耐圧性を有し密閉可能な圧力容器により構成される。
【００２０】
ドレン供給ラインＬ１の一端部は、ドレンタンク２０に接続され、ドレン供給ラインＬ１の他端部は、ボイラ１０の前記下部ヘッダに接続されている。ドレン供給ラインＬ１には、図１に示すように、上流側から順に、第３の給水バルブ５３、ドレン流量計３１、第１の給水バルブ５１、第１の逆止弁６１及び第２の逆止弁６２が設けられている。
ドレンタンク２０に収容されたドレンＷ１は、ドレン供給ラインＬ１を流通して、ボイラ１０に供給される。
【００２１】
補給水供給ラインＬ２の一端部は、給水タンク（図示せず）に接続されている。補給水供給ラインＬ２の他端部は、ドレン供給ラインＬ１における第１の逆止弁６１と第２の逆止弁６２との間に設けられるライン接続部Ｊ１に接続されている。補給水Ｗ２は、給水ポンプ４０で昇圧された後、補給水供給ラインＬ２を流通して、ライン接続部Ｊ１に向けて供給される。補給水供給ラインＬ２を流通した補給水Ｗ２は、ライン接続部Ｊ１からドレン供給ラインＬ１を流通して、ボイラ１０に供給される。
【００２２】
ドレン流量検出部としてのドレン流量計３１は、ドレンタンク２０からドレン供給ラインＬ１を介してボイラ１０に供給されるドレンＷ１の流量を検出する。ドレン流量計３１は、検出したドレンＷ１の流量の情報信号を制御部７０に出力する。
【００２３】
補給水流量計３２は、補給水供給ラインＬ２を介してボイラ１０に供給される補給水Ｗ２の流量を検出する。給水ポンプ４０は、補給水供給ラインＬ２における補給水流量計３２よりも上流側に設けられており、補給水Ｗ２を昇圧してボイラ１０に供給する。給水ポンプ４０の稼働及び停止は、制御部７０により制御される。
【００２４】
第１の逆止弁６１は、ドレン供給ラインＬ１におけるドレン流量計３１とライン接続部Ｊ１との間に設けられ、ドレンＷ１の逆流を防ぐ。第２の逆止弁６２は、ドレン供給ラインＬ１におけるライン接続部Ｊ１よりも下流側に設けられ、ドレンＷ１及び補給水Ｗ２の逆流を防ぐ。
【００２５】
本実施形態において、第１の給水バルブ５１、第２の給水バルブ５２及び第３の給水バルブ５３は、モータバルブにより構成される。
第１の給水バルブ５１は、過電流検出センサ（図示せず）を備えており、ドレン供給ラインＬ１におけるドレン流量計３１と第１の逆止弁６１との間に設けられている。第１の給水バルブ５１は、弁体の開度を調整して、ドレンタンク２０からボイラ１０に供給されるドレンＷ１の流量を調整可能にする。第１の給水バルブ５１は、制御部７０に電気的に接続されている。第１の給水バルブ５１の開度は、制御部７０により制御される。
【００２６】
第２の給水バルブ５２は、過電流検出センサ（図示せず）を備えており、補給水供給ラインＬ２における補給水流量計３２とライン接続部Ｊ１との間に設けられている。第２の給水バルブ５２は、制御部７０に電気的に接続されている。第２の給水バルブ５２は、給水ポンプ４０で昇圧された補給水Ｗ２を補給水供給ラインＬ２に流通させてボイラ１０に供給する開状態と、給水ポンプ４０で昇圧された補給水Ｗ２を補給水供給ラインＬ２に流通させずにボイラ１０に供給させない閉状態と、に切り替え可能に構成される。第２の給水バルブ５２は、その開状態と閉状態とを、制御部７０により切り替え制御される。
【００２７】
第３の給水バルブ５３は、ドレン供給ラインＬ１におけるドレンタンク２０とドレン流量計３１との間に設けられている。第３の給水バルブ５３は、ドレンタンク２０に収容されたドレンＷ１をドレン供給ラインＬ１に流通させてボイラ１０に供給する開状態と、ドレンタンク２０に収容されたドレンＷ１をドレン供給ラインＬ１に流通させずにボイラ１０に供給させない閉状態と、に切り替え可能に構成される。
【００２８】
制御部７０は、第１の給水バルブ５１と、第２の給水バルブ５２と、第３の給水バルブ５３と、給水ポンプ４０とを制御可能に構成される。
【００２９】
制御部７０は、ドレン流量計３１により検出されたドレンＷ１の流量に基づいて、第１の給水バルブ５１の弁体の開度を制御する。制御部７０は、ドレン流量計３１により検出されたドレンＷ１の流量が所定の閾値を下回っていることを検知した場合又は第１の給水バルブ５１の過電流検出センサ（図示せず）が所定の閾値以上の電流を検知した場合、第１の給水バルブ５１及び第３の給水バルブ５３を閉じて第２の給水バルブ５２を開く制御を行う。制御部７０は、水位検出器（図示せず）により検出されたボイラ１０の水位に基づいて、給水ポンプ４０のオン／オフを切り替える。例えば、制御部７０は、水位検出器（図示せず）により検出されたボイラ１０の水位が第１水位以上であることを検知した場合には、給水ポンプ４０をオフにする制御を行う。制御部７０は、水位検出器（図示せず）により検出されたボイラ１０の水位が第１水位よりも低い第２水位以下であることを検知した場合には、給水ポンプ４０をオンにする制御を行う。
【００３０】
第１の給水バルブ５１は、異物の噛み込みや、バルブの開閉動作に係る電気信号のエラーによって過電流を生じる。制御部７０は、第１の給水バルブ５１の過電流検出センサ（図示せず）が所定の閾値以上の電流を検知した場合、第１の給水バルブ５１を複数回開閉する制御を行う。
【００３１】
また、制御部７０は、第１の給水バルブ５１の過電流検出センサ（図示せず）が所定の閾値以上の電流を検知したときに、第１の給水バルブ５１を複数回開閉しても継続して第１の給水バルブ５１における電流が所定の閾値以上であることを検知した場合、第１の給水バルブ５１及び第３の給水バルブ５３を閉じて第２の給水バルブ５２を開く制御を行う。
【００３２】
以上の構成によるボイラシステム１は、以下の第１実施形態に示すように動作する。図２は、ボイラシステムの第１実施形態に示す動作を説明するフローチャートである。
【００３３】
第１実施形態において、まず、ステップＳ１１において、ボイラシステム１は、運転開始の指示を受ける。ボイラシステム１におけるボイラ１０は、燃焼用空気Ｇ１と燃料ガス（図示せず）とをダクト４で混合させ、缶体２内において燃焼を開始させる。ボイラシステム１における制御部７０は、通常の運転状態になるように各部を制御する。制御部７０は、例えば、第２の給水バルブ５２を閉状態にして、ドレン供給ラインＬ１を流通するドレンＷ１についてのドレン流量計３１で検出した流量の情報信号に基づいて、第１の給水バルブ５１の弁体の開度を調整する。このとき、第３の給水バルブ５３は開状態となっている。
【００３４】
続けて、ステップＳ１２において、制御部７０は、ドレンＷ１についてのドレン流量計３１で検出した流量の情報信号に基づいて、ドレン供給ラインＬ１におけるドレンＷ１の流量が所定の閾値を下回っているか否かを検知する。
制御部７０は、ドレン供給ラインＬ１におけるドレンＷ１の流量が所定の閾値を下回っていることを検知した場合（ステップＳ１２：ＹＥＳ）、処理をステップＳ１３に進める。また、制御部７０は、ドレン供給ラインＬ１におけるドレンＷ１の流量が所定の閾値を下回っていることを検知しない場合（ステップＳ１２：ＮＯ）、処理をステップＳ１２に戻す。
【００３５】
次いで、ステップＳ１３において、制御部７０は、第１の給水バルブ５１及び第３の給水バルブ５３を閉状態にさせ、第２の給水バルブ５２を開状態にさせ、補給水Ｗ２をボイラ１０へ供給可能な状態に切替える。
【００３６】
続けて、ステップＳ１４において、制御部７０は、ボイラ１０の水位検出器（図示せず）で検出したボイラ１０の水位についての情報信号に基づいて、ボイラ１０の水位が第１水位よりも低い第２水位以下であるか否かを検知する。
制御部７０は、ボイラ１０の水位が第２水位以下であることを検知した場合（ステップＳ１４：ＹＥＳ）、処理をステップＳ１５に進める。また、制御部７０は、ボイラ１０の水位が第２水位以下であることを検知しない場合（ステップＳ１４：ＮＯ）、処理をステップＳ１４に戻す。
【００３７】
次いで、ステップＳ１５において、制御部７０は、給水ポンプ４０をオンにして、給水ポンプ４０を稼働させる。これにより、補給水Ｗ２は、給水ポンプ４０で昇圧され、補給水供給ラインＬ２を流通して、ライン接続部Ｊ１に供給される。補給水供給ラインＬ２を流通した補給水Ｗ２は、ライン接続部Ｊ１からドレン供給ラインＬ１を流通して、ボイラ１０に供給される。
【００３８】
続けて、ステップＳ１６において、制御部７０は、ボイラ１０の水位検出器（図示せず）で検出したボイラ１０の水位についての情報信号に基づいて、ボイラ１０の水位が第１水位以上であるか否かを検知する。
制御部７０は、ボイラ１０の水位が第１水位以上であることを検知した場合（ステップＳ１６：ＹＥＳ）、処理をステップＳ１７に進める。また、制御部７０は、ボイラ１０の水位が第１水位以上であることを検知しない場合（ステップＳ１６：ＮＯ）、処理をステップＳ１６に戻す。
【００３９】
次いで、ステップＳ１７において、制御部７０は、給水ポンプ４０をオフにして、ボイラ１０への補給水Ｗ２の供給を停止させる。
【００４０】
続けて、ステップＳ１８において、制御部７０は、運転停止の指示を受けているかを確認する。
制御部７０は、運転停止の指示を受けていない場合（ステップＳ１８：ＮＯ）、処理をステップＳ１４に戻す。また、制御部７０は、運転停止の指示を受けている場合（ステップＳ１８：ＹＥＳ）、ボイラシステム１の運転を停止するように各部を制御する。
【００４１】
また、ボイラシステム１は、以下の第２実施形態に示すように動作する。図３は、ボイラシステムの第２実施形態に示す動作を説明するフローチャートである。
【００４２】
第２実施形態におけるボイラシステム１の構成については、第１実施形態と同一であるため、同一の符号で図示し、説明を省略する。
【００４３】
第２実施形態において、まず、ステップＳ２１において、ボイラシステム１は、運転開始の指示を受ける。
【００４４】
続けて、ステップＳ２２において、制御部７０は、第１の給水バルブ５１の過電流検出センサ（図示せず）で検出した第１の給水バルブ５１の開閉動作についての電気信号に基づいて、第１の給水バルブ５１に過電流が流れているか否かを検知する。
制御部７０は、第１の給水バルブ５１に過電流が流れていることを検知した場合（ステップＳ２２：ＹＥＳ）、処理をステップＳ２３に進める。また、制御部７０は、第１の給水バルブ５１に過電流が流れていることを検知しない場合（ステップＳ２２：ＮＯ）、処理をステップＳ２５に進める。
【００４５】
次いで、ステップＳ２３において、制御部７０は、第１の給水バルブ５１を複数回開閉させる。
【００４６】
続けて、ステップＳ２４において、第１の給水バルブ５１の過電流検出センサ（図示せず）で検出した第１の給水バルブ５１の開閉動作についての電気信号に基づいて、第１の給水バルブ５１に過電流が流れているか否かを検知する。
制御部７０は、第１の給水バルブ５１に過電流が流れていることを検知した場合（ステップＳ２４：ＹＥＳ）、処理を第１実施形態におけるステップＳ１３に進める。ステップＳ１３以降の処理は、第１実施形態と同じである。また、制御部７０は、第１の給水バルブ５１に過電流が流れていることを検知しない場合（ステップＳ２４：ＮＯ）、処理をステップＳ２５に進める。
【００４７】
一方、ステップＳ２５において、制御部７０は、ドレンＷ１についてのドレン流量計３１で検出した流量の情報信号に基づいて、ドレン供給ラインＬ１におけるドレンＷ１の流量が所定の閾値を下回っているか否かを検知する。
制御部７０は、ドレン供給ラインＬ１におけるドレンＷ１の流量が所定の閾値を下回っていることを検知した場合（ステップＳ２５：ＹＥＳ）、処理を第１実施形態におけるステップＳ１３に進める。また、制御部７０は、ドレン供給ラインＬ１におけるドレンＷ１の流量が所定の閾値を下回っていることを検知しない場合（ステップＳ２５：ＮＯ）、処理をステップＳ２２に戻す。
【００４８】
以上のような構成を有する本実施形態に係るボイラシステム１によれば、以下の効果を奏する。
本実施形態におけるボイラシステム１は、蒸気を生成し、生成された蒸気を負荷機器１２に供給するボイラ１０と、負荷機器１２が蒸気を使用することによって凝縮して生じたドレンＷ１を回収するドレンタンク２０と、ドレンタンク２０とボイラ１０とを接続し、ドレンタンク２０に収容されたドレンＷ１をボイラ１０に供給するドレン供給ラインＬ１と、ドレン供給ラインＬ１に配置され、ボイラ１０に供給されるドレンＷ１の流量を検出するドレン流量計３１と、ドレン供給ラインＬ１に配置され、ボイラ１０に供給されるドレンＷ１の流量を調整する第１の給水バルブ５１と、ボイラ１０へ補給水Ｗ２を供給する補給水供給ラインＬ２と、補給水供給ラインＬ２に配置され、補給水供給ラインＬ２を開くか又は閉じる第２の給水バルブ５２と、を備えている。また、ボイラシステム１は、ドレン流量計３１により検出されたドレンＷ１の流量に基づいて第１の給水バルブ５１の弁体の開度を制御し、また、ドレン流量計３１により検出されたドレンＷ１の流量が低下したときに又は第１の給水バルブ５１の異常を検知したときに、第１の給水バルブ５１及び第３の給水バルブ５３を閉じて第２の給水バルブ５２を開く制御を行う制御部７０と、を備えている。
【００４９】
このため、ボイラシステム１は、ボイラ１０の稼働中における第１の給水バルブ５１の異物の噛み込みや、第１の給水バルブ５１の開閉動作に係る電気信号のエラーによって、制御部７０が第１の給水バルブ５１の開閉動作の異常を検知することで、ボイラ１０への補給水Ｗ２の供給を、速やかに開始することができる。また、ボイラシステム１は、ボイラ１０の稼働中において、制御部７０がドレンＷ１の流量の低下を検知することで、ボイラ１０への補給水Ｗ２の供給を、速やかに開始することができる。このため、ボイラシステム１は、ドレンＷ１の供給から補給水Ｗ２の供給に切替わる際の時間の経過により発生するボイラ１０への給水の停止を防止できる。ボイラシステム１は、第１の給水バルブ５１において開閉動作の異常が発生した場合でも、ボイラ１０に継続的な給水を行うことができ、ボイラの低水位の発生によるボイラの運転の停止を未然に防止して、負荷機器への継続的な蒸気の供給を行うことができる。つまり、ボイラシステム１は、ボイラ１０への給水が不足することを抑制する。
【００５０】
また、本実施形態におけるボイラシステム１において、制御部７０は、第１の給水バルブ５１の異常を検知したときに、第１の給水バルブ５１を複数回開閉する制御を行う。
【００５１】
このため、ボイラシステム１は、第１の給水バルブ５１において異物の噛み込みが発生した場合でも、制御部７０が第１の給水バルブ５１を複数回開閉させることで、第１の給水バルブ５１における異物の噛み込みを解消することができる。また、ボイラシステム１は、第１の給水バルブ５１の開閉動作に係る電気信号のエラーが発生したとき、制御部７０が第１の給水バルブ５１を複数回開閉させることで、前記電気信号のエラーを解消できる場合がある。これらにより、ボイラシステム１は、ボイラ１０に継続的にドレンＷ１の供給を行うことができる。
【００５２】
また、本実施形態におけるボイラシステム１において、制御部７０は、第１の給水バルブ５１の異常を検知したときに、第１の給水バルブ５１を複数回開閉しても異常の検知が解除されない場合、第１の給水バルブ５１及び第３の給水バルブ５３を閉じて第２の給水バルブ５２を開く制御を行う。
【００５３】
このため、ボイラシステム１は、第１の給水バルブ５１において異物の噛み込みや、第１の給水バルブ５１の開閉動作に係る電気信号のエラーが発生し、制御部７０が第１の給水バルブ５１を複数回開閉させても第１の給水バルブ５１におけるこれらの異常を解消することが出来ない場合でも、ボイラ１０への補給水Ｗ２の供給を速やかに開始して、ボイラ１０に継続的に給水を行うことができる。
【００５４】
以上、本発明のボイラシステム１の好ましい実施形態について説明したが、本発明は、上述した実施形態に制限されるものではなく、適宜変更が可能である。
例えば、補給水供給ラインＬ２の他端部は、ドレン供給ラインＬ１における第１の逆止弁６１と第２の逆止弁６２との間に設けられるライン接続部Ｊ１に接続されている。しかし、これに限定されず、補給水供給ラインＬ２の他端部は、ボイラ１０に直接接続されていてもよい。この場合、給水タンク（図示せず）に収容された補給水Ｗ２は、ボイラ１０に直接供給される。
【００５５】
また、本実施形態のボイラシステム１において、制御部７０は、第１の給水バルブ５１の過電流検出センサ（図示せず）が所定の閾値以上の電流を検知した場合、第１の給水バルブ５１を複数回開閉する制御を行う。しかし、これに限定されず、制御部７０は、第２の給水バルブ５２の過電流検出センサ（図示せず）が所定の閾値以上の電流を検知した場合に、第２の給水バルブ５２を複数回開閉する制御を行ってもよい。これにより、第２の給水バルブ５２において所定の閾値以上の電流を検知した場合、制御部７０は、第２の給水バルブ５２を複数回開閉する制御を行う。従って、第２の給水バルブ５２は、第２の給水バルブ５２における異物の噛み込みや、第２の給水バルブ５２の開閉動作に係る電気信号のエラーを解消することができる。
【００５６】
また、本実施形態のボイラシステム１において、第３の給水バルブ５３は、過電流検出センサを備え、制御部７０に制御されるように構成されていてもよい。これにより、第３の給水バルブ５３において所定の閾値以上の電流を検知した場合、制御部７０は、第３の給水バルブ５３を複数回開閉する制御を行う。従って、第３の給水バルブ５３は、第３の給水バルブ５３における異物の噛み込みや、第３の給水バルブ５３の開閉動作に係る電気信号のエラーを解消することができる。
【００５７】
また、本実施形態のボイラシステム１において、制御部７０は、第１の給水バルブ５１の過電流検出センサが所定の閾値以上の電流を検知したときに、第１の給水バルブ５１を複数回開閉しても第１の給水バルブ５１における電流が所定の閾値以上であることを検知すると、第１の給水バルブ５１及び第３の給水バルブ５３を閉じて第２の給水バルブ５２を開くように制御している。しかし、これに限定されず、制御部７０は、第１の給水バルブ５１の開閉動作が所定時間行われた後に、第１の給水バルブ５１における電流が所定の閾値以上であることを検知することで、第１の給水バルブ５１及び第３の給水バルブ５３を閉じて第２の給水バルブ５２を開くように制御してもよい。
【００５８】
また、本実施形態のボイラシステム１において、ドレン供給ラインＬ１には、第１の給水バルブ５１及び第３の給水バルブ５３が設けられている。しかし、これに限定されず、ドレン供給ラインＬ１には、第１の給水バルブ５１のみが設けられていてもよい。
【符号の説明】
【００５９】
１      ボイラシステム
１０    ボイラ
１２    負荷機器
２０    ドレンタンク
３１    ドレン流量計（ドレン流量検出部）
５１    第１の給水バルブ
５２    第２の給水バルブ
７０    制御部
Ｌ１    ドレン供給ライン
Ｌ２    補給水供給ライン
Ｗ１    ドレン
Ｗ２    補給水
【図１】
2015098989.tif 000003
【図２】
2015098989.tif 000004
【図３】
2015098989.tif 000005